【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
プログラムであって、実行された場合、モビリティ管理エンティティ（ＭＭＥ）に、
進化型ノードＢ（ｅＮＢ）から、ユーザ機器（ＵＥ）が低複雑性のカテゴリに関連付けられることを示す情報要素を含むメッセージを受信する手順であって、前記情報要素は、前記ＵＥの無線機能に関する情報を含むＵＥ無線アクセス機能構造体とは別個である、手順と、
前記ＵＥが前記低複雑性のカテゴリに関連付けられることを示す前記情報要素を含むＳ１−アプリケーションプロトコルページングメッセージ（Ｓ１−ＡＰページングメッセージ）を生成する手順と、
前記ＵＥをページングするべく、１つまたは複数のｅＮＢに前記Ｓ１−ＡＰページングメッセージを送信する手順と、を実行させる
プログラム。
【請求項２】
前記低複雑性のカテゴリは、カテゴリ０である
請求項１に記載のプログラム。
【請求項３】
実行された場合、前記ＭＭＥに、
前記情報要素に基づいて、前記ＵＥが、複数のＵＥの前記低複雑性のカテゴリに関連付けられることを判断する手順をさらに実行させる
請求項１または２に記載のプログラム。
【請求項４】
前記情報要素は、前記ＵＥ無線アクセス機能構造体とは別個に格納される
請求項１または２に記載のプログラム。
【請求項５】
前記無線アクセス機能構造体は、前記ＭＭＥにおいて、ＵＥコンテキスト内にトランスペアレントな態様で格納される
請求項４に記載のプログラム。
【請求項６】
前記情報要素および前記無線アクセス機能構造体の両方は、前記ｅＮＢから受信した前記メッセージに含まれる
請求項４に記載のプログラム。
【請求項７】
前記メッセージは、前記ＵＥからのものであって、前記ｅＮＢによって転送される
請求項１または２に記載のプログラム。
【請求項８】
実行された場合、前記ＭＭＥに、
前記１つまたは複数のｅＮＢが前記低複雑性のカテゴリに関連付けられた複数のＵＥをサポートすることを判断する手順と、
前記１つまたは複数のｅＮＢが前記低複雑性のカテゴリに関連付けられた複数のＵＥをサポートするという前記判断にさらに基づいて、前記Ｓ１−ＡＰページングメッセージを生成する手順とをさらに実行させる
請求項１または２に記載のプログラム。
【請求項９】
実行された場合、前記ＭＭＥに、
運用・管理・保守（ＯＡＭ）手順から受信された情報、Ｓ１−ＡＰシグナリングを介して前記ｅＮＢから受信された情報、またはネットワークデータベースから受信された情報に基づいて、前記１つまたは複数のｅＮＢが前記低複雑性のカテゴリに関連付けられた複数のＵＥをサポートすることを判断する手順を実行させる
請求項８に記載のプログラム。
【請求項１０】
モビリティ管理エンティティ（ＭＭＥ）において使用される装置であって、前記装置は、
Ｓ１インタフェース上で通信するための通信回路と、
前記通信回路と結合された制御回路とを備え、前記制御回路は、
前記通信回路を介して受信された第１の情報要素（第１のＩＥ）および第２の情報要素（第２のＩＥ）を識別する手順であって、前記第１のＩＥは、ユーザ機器（ＵＥ）が複数のＵＥの低複雑性のカテゴリと関連付けられることを示すインジケータを有し、前記第２のＩＥは、無線機能構造体を提供する、手順と、
前記第１のＩＥを含むＳ１−アプリケーションプロトコルページングメッセージ（Ｓ１−ＡＰページングメッセージ）を生成する手順と、
前記通信回路を制御して、前記ＵＥをページングするべく、前記Ｓ１−ＡＰページングメッセージを送信する手順と、を実行する
装置。
【請求項１１】
前記無線機能構造体は、前記ＵＥが複数のＵＥの前記低複雑性のカテゴリに関連付けられることを示すインジケータを有する
請求項１０に記載の装置。
【請求項１２】
前記第１のＩＥおよび前記第２のＩＥは、同一のメッセージにおいて前記ＭＭＥに送信される
請求項１０に記載の装置。
【請求項１３】
前記制御回路は、さらに、前記第１のＩＥに基づいて、前記ＵＥが複数のＵＥの前記低複雑性のカテゴリに関連付けられることを判断する
請求項１０から１２のいずれか一項に記載の装置。
【請求項１４】
前記制御回路は、前記通信回路を制御して、前記Ｓ１−ＡＰページングメッセージを、トラッキングエリアにおける複数のｅＮＢに送信する
請求項１３に記載の装置。
【請求項１５】
前記制御回路は、前記第１のＩＥおよび前記第２のＩＥを、互いに別個にストレージ回路に格納する
請求項１０から１２のいずれか一項に記載の装置。
【請求項１６】
前記制御回路は、前記第２のＩＥに含まれる情報にアクセスすることなく、前記第２のＩＥを格納する
請求項１５に記載の装置。
【請求項１７】
プログラムであって、実行された場合、進化型ノードＢ（ｅＮＢ）に、
第１の情報要素（第１のＩＥ）および第２の情報要素（第２のＩＥ）を含むメッセージを、モビリティ管理エンティティ（ＭＭＥ）に送信する手順であって、前記第１のＩＥは、ユーザ機器（ＵＥ）が複数のＵＥの低複雑性のカテゴリと関連付けられることを示すインジケータを有し、前記第２のＩＥは、無線機能構造体を提供する、手順と、
ページングターゲットが複数のＵＥの低複雑性のカテゴリに関連付けられる前記ＵＥであることを示す前記第１のＩＥにアクセスするべく、前記ＭＭＥから受信したＳ１−アプリケーションプロトコルページングメッセージ（Ｓ１−ＡＰページングメッセージ）を処理する手順と、
前記Ｓ１−ＡＰページングメッセージに基づいて、１または複数のセルにおいて、前記ＵＥをページングする手順とを実行させる
プログラム。
【請求項１８】
前記低複雑性のカテゴリは、カテゴリ０である
請求項１７に記載のプログラム。
【請求項１９】
実行された場合、前記ｅＮＢに、
前記Ｓ１−ＡＰページングメッセージの受信前に前記メッセージを前記ＭＭＥに送信する手順をさらに実行させる
請求項１７に記載のプログラム。
【請求項２０】
実行された場合、前記ｅＮＢに、
前記ｅＮＢにより提供された１または複数のセルが前記低複雑性のカテゴリに関連付けられる複数のＵＥをサポートすることを判断する手順と、
前記判断に基づいて、前記１または複数のセルにおいて前記ＵＥをページングする手順とをさらに実行させる
請求項１７に記載のプログラム。
【請求項２１】
前記メッセージは、非アクセス層メッセージである
請求項１７から２０のいずれか一項に記載のプログラム。
【請求項２２】
モビリティ管理エンティティ（ＭＭＥ）であって、
進化型ノードＢ（ｅＮＢ）から、ユーザ機器（ＵＥ）が低複雑性のカテゴリに関連付けられることを示す情報要素を含むメッセージを受信する手段であって、前記情報要素は、前記ＵＥの無線機能に関する情報を含むＵＥ無線アクセス機能構造体とは別個である、手段と、
前記ＵＥが前記低複雑性のカテゴリに関連付けられることを示す前記情報要素を含むＳ１−アプリケーションプロトコルページングメッセージ（Ｓ１−ＡＰページングメッセージ）を生成する手段と、
前記ＵＥをページングするべく、１つまたは複数のｅＮＢに前記Ｓ１−ＡＰページングメッセージを送信する手段とを備える
ＭＭＥ。
【請求項２３】
ページングターゲットがカテゴリ０のＵＥであると判断する前記手段は、前記ｅＮＢまたは別のｅＮＢから受信したメッセージに基づく前記判断を行う
請求項２２に記載のＭＭＥ。
【請求項２４】
前記ＵＥの無線機能に関する情報を有するＵＥ無線アクセス機能構造体とは別個に前記情報要素を格納する手段をさらに備える
請求項２２または２３に記載のＭＭＥ。
【請求項２５】
前記無線アクセス機能構造体をＵＥコンテキスト内にトランスペアレントに格納する手段をさらに備える
請求項２４に記載のＭＭＥ。
【請求項２６】
請求項１から９，および１７から２１のいずれか一項に記載のプログラムを格納する、コンピュータ可読記録媒体。
【手続補正２】
【補正対象書類名】明細書
【補正対象項目名】発明の名称
【補正方法】変更
【補正の内容】
【発明の名称】プログラム、装置、モビリティ管理エンティティ、およびコンピュータ可読記録媒体
【手続補正３】
【補正対象書類名】明細書
【補正対象項目名】０１６３
【補正方法】変更
【補正の内容】
【０１６３】
例６８は、例６２〜６７のいずれか１つの装置を含み、制御回路は、ＵＥが複数のＵＥの低複雑性のカテゴリに関連付けられていると判断するべく、ランダムアクセスチャネル（ＲＡＣＨ）または無線リソース制御（ＲＲＣ）メッセージを処理する。
本実施形態の例を下記の各項目として示す。
［項目１］
実行されると、進化型ノードＢ（ｅＮＢ）に、
ユーザ機器（ＵＥ）が複数のＵＥの低複雑性のカテゴリに関連付けられていると判断させ、
前記ＵＥが複数のＵＥの前記低複雑性のカテゴリに関連付けられることを示すインジケータを含む、情報要素（ＩＥ）を生成させ、
前記ＩＥをモビリティ管理エンティティ（ＭＭＥ）に送信させる複数の命令を備え、
前記ＩＥは、前記ＵＥの複数の無線機能に関する情報を含む無線機能構造体とは別個である、１または複数のコンピュータ可読媒体。
［項目２］
前記インジケータは、第１のインジケータであり、前記ＵＥの前記無線機能構造体は、前記ＵＥが複数のＵＥの前記低複雑性のカテゴリに関連付けられていることを示す第２のインジケータを含む、項目１に記載の１または複数のコンピュータ可読媒体。
［項目３］
前記ｅＮＢは、前記無線機能構造体を前記ＭＭＥに送信する、項目１に記載の１または複数のコンピュータ可読媒体。
［項目４］
前記複数の命令は、実行されると、前記ｅＮＢに更に、前記ＩＥおよび前記無線機能構造体の双方を含むメッセージを送信させる、項目３に記載の１または複数のコンピュータ可読媒体。
［項目５］
前記複数の命令は、実行されると、前記ｅＮＢに更に、別個の複数のメッセージにおいて前記ＩＥおよび前記無線機能構造体を送信させる、項目３に記載の１または複数のコンピュータ可読媒体。
［項目６］
前記複数の命令は、実行されると、前記ｅＮＢに更に、Ｓ１‐アプリケーションプロトコル（ＡＰ）メッセージにおいて前記ＩＥを前記ＭＭＥに送信させる、項目１に記載の１または複数のコンピュータ可読媒体。
［項目７］
前記複数の命令は、実行されると、前記ｅＮＢに更に、前記ＵＥが複数のＵＥの前記低複雑性のカテゴリに関連付けられていると判断するべく、ランダムアクセスチャネル（ＲＡＣＨ）または無線リソース制御（ＲＲＣ）メッセージを処理させる、項目１に記載の１または複数のコンピュータ可読媒体。
［項目８］
ｅＮＢにおいて使用される装置であって、
項目１〜７のいずれか１項に記載の１または複数のコンピュータ可読媒体と、
前記１または複数の非一時的コンピュータ可読媒体に結合され、前記複数の命令を実行する処理回路とを備える、装置。
［項目９］
項目８に記載の装置を備え、
前記ＩＥを前記ＭＭＥに送信するためのイーサネット（登録商標）インタフェースを更に備える、ｅＮＢ。
［項目１０］
モビリティ管理エンティティ（ＭＭＥ）において使用される装置であって、
Ｓ１インタフェースを介する通信を容易にする通信回路と、
前記通信回路を介して、ユーザ機器（ＵＥ）が複数のＵＥの低複雑性のカテゴリに関連付けられていることを示すインジケータを含む第１の情報要素（ＩＥ）を受信し、
前記通信回路を介して、無線機能構造体である第２の情報要素（ＩＥ）を受信する
制御回路とを備える、装置。
［項目１１］
前記制御回路は、更に、前記無線機能構造体内に含まれる情報にアクセスすることなく、前記無線機能構造体を格納する、項目１０に記載の装置。
［項目１２］
前記無線機能構造体は、前記ＵＥが複数のＵＥの前記低複雑性のカテゴリに関連付けられていることを示すためのインジケータを含む、項目１０に記載の装置。
［項目１３］
前記制御回路は、同一のメッセージにおいて前記第１のＩＥおよび前記第２のＩＥを受信する、項目１０に記載の装置。
［項目１４］
モビリティ管理エンティティ（ＭＭＥ）において使用される装置であって、
複数の命令を格納するための１または複数のコンピュータ可読媒体と、
前記１または複数のコンピュータ可読媒体に結合され、
ページングターゲットが、予め定められたカテゴリに関連付けられたユーザ機器（ＵＥ）であると判断し、
前記ページングターゲットが前記予め定められたカテゴリに関連付けられたＵＥであるとの前記判断に基づいて、進化型ノードＢ（ｅＮＢ）に送信されるＳ１‐アプリケーションプロトコル（ＡＰ）ページングメッセージを生成するための前記複数の命令を実行する
処理回路とを備える、装置。
［項目１５］
前記処理回路は、更に、
前記ｅＮＢが前記予め定められたカテゴリに関連付けられた複数のＵＥをサポートすると判断し、
前記ｅＮＢが前記予め定められたカテゴリに関連付けられた複数のＵＥをサポートするとの前記判断に更に基づいて、前記Ｓ１‐ＡＰページングメッセージを生成するための前記複数の命令を実行する、項目１４に記載の装置。
［項目１６］
前記処理回路は、運用・管理・保守（ＯＡＭ）手順から受信された情報、Ｓ１‐ＡＰシグナリングにより前記ｅＮＢから受信された情報、またはネットワークデータベースから受信された情報に基づいて、前記ｅＮＢが前記予め定められたカテゴリと関連付けられた複数のＵＥをサポートすると判断する、項目１５に記載の装置。
［項目１７］
前記予め定められたカテゴリは、低複雑性のカテゴリである、項目１４に記載の装置。
［項目１８］
前記低複雑性のカテゴリは、カテゴリ０である、項目１７に記載の装置。
［項目１９］
前記ＵＥの複数の無線機能に関する情報を含む無線機能構造体を格納し、
前記無線機能構造体とは別個に、前記ＵＥが前記予め定められたカテゴリに関連付けられているとのインジケータを含む情報要素（ＩＥ）を格納するためのストレージ回路を更に備える、項目１４に記載の装置。
［項目２０］
前記処理回路は、ホーム加入者サーバ（ＨＳＳ）、ホームロケーションレジスタ（ＨＬＲ）、または認証・課金・許可（ＡＡＡ）サーバから受信されたＵＥ加入データに基づいて、前記ページングターゲットが前記予め定められたカテゴリに関連付けられたＵＥであると判断する、項目１４に記載の装置。
［項目２１］
前記処理回路は、前記ページングターゲットが前記予め定められたカテゴリに関連付けられているとのインジケーションを有する前記Ｓ１‐ＡＰページングメッセージを生成する、項目１４または１５に記載の装置。
［項目２２］
前記処理回路は、前記Ｓ１‐ＡＰページングメッセージを、トラッキングエリアにおける複数のｅＮＢに送信し、
前記複数のｅＮＢは、前記ｅＮＢを含む、項目２１に記載の装置。
［項目２３］
進化型ノードＢ（ｅＮＢ）において使用される装置であって、
１または複数のネットワークコンポーネントと複数のページングメッセージを通信するための通信回路と、
前記通信回路に結合され、
前記通信回路により受信され、ターゲットに向けられるＳ１‐アプリケーションプロトコル（ＡＰ）ページングメッセージを処理し、
前記ターゲットが予め定められたカテゴリに関連付けられたユーザ機器（ＵＥ）であると判断し、
前記ｅＮＢにより提供された１または複数のセルが前記予め定められたカテゴリに関連付けられた複数のＵＥをサポートすると判断し、
前記１または複数のセルにおいて、前記通信回路を用いて前記ＵＥをページングする
制御回路とを備える、装置。
［項目２４］
前記制御回路は、前記Ｓ１‐ＡＰページングメッセージにおけるインジケータに基づいて、前記ターゲットが予め定められたカテゴリに関連付けられていると判断する、項目２３に記載の装置。
［項目２５］
前記制御回路は、前記Ｓ１‐ＡＰページングメッセージのソースの識別に基づいて、前記ターゲットが前記予め定められたカテゴリに関連付けられていると判断する、項目２３または２４に記載の装置。